(57)【要約】【課題】  本発明は、ＲＦタグ、化粧料用容器、及びＲＦタグの製造方法に関し、アンテナとリーダライタとの間の情報の交信を正常に行うことができると共に、印刷等の表示を妨げることのなく、透明な容器に装填された内容物の外部からの視認性を向上させることのできるＲＦタグ、化粧料用容器、及びＲＦタグの製造方法を提供することを課題とする。【解決手段】  ＲＦタグ５０に設けられた第１及び第２のアンテナ５４，５７を、透明な酸化物半導体である錫をドーピングした酸化インジウム（ＩＴＯ）で形成し、透明なガラス容器である容器本体４３に接着固定する。【選択図】  図４
2005227890.tif 000002
【特許請求の範囲】
【請求項１】
ＩＣチップと、
前記ＩＣチップに接続された第１のアンテナと、
前記第１のアンテナの外側へ離間した位置に、前記第１のアンテナとは独立して設けられた第２のアンテナとを備えたＲＦタグにおいて、
前記第１のアンテナ又は第２のアンテナのうち少なくとも該第２のアンテナは、透明導電材料で形成されていることを特徴とするＲＦタグ。
【請求項２】
前記透明導電材料には、透明な酸化物半導体を用いることを特徴とする請求項１に記載のＲＦタグ。
【請求項３】
前記透明な酸化物半導体には、錫をドーピングした酸化インジウム（ＩＴＯ）を用いることを特徴とする請求項２に記載のＲＦタグ。
【請求項４】
前記透明導電材料には、透明な有機導電体を用いることを特徴とする請求項１に記載のＲＦタグ。
【請求項５】
前記透明な有機導電体には、７，７，８，８，―テトラシアノキノジメタン錯体を用いることを特徴とする請求項４に記載のＲＦタグ。
【請求項６】
前記透明導電材料は、透過性を有したメッシュ状の金属膜を用いることを特徴とする請求項１に記載のＲＦタグ。
【請求項７】
化粧料を装填する容器本体を備えた化粧料用容器において、
前記収納部に、請求項１乃至６に記載のＲＦタグを設けたことを特徴とする化粧料用容器。
【請求項８】
前記容器本体は、透明な容器で構成されていることを特徴とする請求項７に記載の化粧料用容器。
【請求項９】
第１のアンテナ形成工程と、第２のアンテナ形成工程とを有した請求項１乃至６のいずれか１項に記載のＲＦタグの製造方法であって、
前記第１のアンテナ形成工程又は第２のアンテナ形成工程において、前記第１のアンテナ又は第２のアンテナのうち少なくとも該第２のアンテナを構成する透明導電材料は、蒸着法、印刷法、めっき法、及び塗布のいずれかの方法により形成されることを特徴とするＲＦタグの製造方法。
【発明の詳細な説明】
【技術分野】
【０００１】
本発明は、ＲＦタグ、化粧料用容器、及びＲＦタグの製造方法に係り、特に、ＩＣチップに接続される第１のアンテナと、第１のアンテナの外側へ離間した位置に第１のアンテナとは独立して設けられた第２のアンテナとを有したＲＦタグ、化粧料用容器、及びＲＦタグの製造方法に関する。
【背景技術】
【０００２】
従来、製品の入出庫、在庫、販売管理には、荷札、棚札、バーコードなどを用いて行われていた。近年、これに代わって、電波で情報が交信でき、かつ、記録できる情報量が大きいＲＦＩＤ(Radio Frequency Identification：電波方式認識)タグの使用が増加している。
【０００３】
ＲＦタグは、大略するとＩＣチップとアンテナとから構成されており、アンテナを通じて電波により非接触でリーダライタと情報の交信が行うことのできるものである。
【０００４】
図１は、従来技術である円筒形状のＲＦタグを示した図である。円筒形状のＲＦタグ１０は、大略すると内部アンテナ１１と、硬質ガラス製チューブ１６と、ＩＣチップ１４とにより構成されている。内部アンテナ１１とＩＣチップ１４とは、電気的に接続されており、硬質ガラス製チューブ１６内に収納されている。内部アンテナ１１は、リーダライタと電波で情報の交信を行うためのものである。内部アンテナ１１は、棒状のフェライトコア１２に銅線１３が巻かれた構成とされている（例えば、非特許文献１参照。）。
【０００５】
しかし、このようなＲＦタグ１０は、内部アンテナ１１が棒状のフェライトコア１２に銅線１３が巻かれた構成とされているため、内部アンテナ１１が大きくなり、例えば、化粧品のうちの１つであるマニュキュアを装填する容器本体にＲＦタグ１０を接着固定した場合、外観を損ねてしまうという問題があった。また、ＲＦタグ１０は円筒形状であるため、容器本体に接着固定しにくいという問題があった。
【０００６】
そこで、上記問題を解決する従来技術として、図２乃至図３に示すようなＲＦタグ２０がある。図２は、従来技術である第１及び第２のアンテナを有したＲＦタグを示した図であり、図３は、図２に示したＲＦタグのＡ―Ａ線方向の断面図である。
【０００７】
ＲＦタグ２０は、大略すると、プラスチックフィルム２１と、基材２２と、ＩＣチップ２３と、第１のアンテナ２４と、樹脂２５と、第２のアンテナ２７と、接着剤２８とにより構成されている。基材２２は、プラスチックフィルム２１の表面２１Ａに配設されており、プラスチックフィルム２１の裏面２１Ｂには、ＲＦタグ２０を製品に接着固定するための接着剤２８が設けられている。
【０００８】
基材２２は、ＩＣチップ２３と第１のアンテナ２４とを配設するためのものである。樹脂２５は、基材２２と、基材２２上に設けられたＩＣチップ２３及び第１のアンテナ２４とを覆うように形成されている。この樹脂２５は、ＩＣチップ２３又は第１のアンテナ２４の破損防止や、第１のアンテナ２４が酸化することを防止するためのものである。
【０００９】
第２のアンテナ２７は、第１のアンテナ２４の外側へ離間した位置に、第１のアンテナ２４とは別個に形成されている。第２のアンテナ２７は、リーダライタからの電波を受信し、第１のアンテナ２４と第２のアンテナ２７との間を電磁結合することで、リーダライタとＲＦタグ２０との間の通信距離を伸ばすためのものである。
【００１０】
第１及び第２のアンテナ２４，２７は、金属箔や導電性インキにより形成されており、導電性インキには、例えばカーボン、黒鉛、アルミ粉、銀紛、あるいはそれらの混合体などを、ビヒクルに分散したインキが使用される。なお、導電性インキは、オフセット印刷、グラビア印刷等の印刷法により形成される。
【００１１】
このような構成とすることで、ＲＦタグ１０と比較してアンテナを小さくすることができる。
【非特許文献１】“ＩＤタグ、ＲＦ−ＩＤの概要を分かり易く説明、ファースト電子開発はＩＤタグ、ＲＦタグ、ＩＤタグ、ＩＤカードシステム開発・提案から製作までご協力致します。”、[online]、[平成16年1月14日検索]、＜http://www.techno-venture.gr.jp/Image/ID-TAG.htm＞
【発明の開示】
【発明が解決しようとする課題】
【００１２】
しかしながら、ＲＦタグ２０に設けられた第１及び第２のアンテナ２４，２７には、カーボン、黒鉛、アルミ粉、銀紛、あるいはそれらの混合体である導電性インキが用いられているため、第１及び第２のアンテナ２４，２７の色調は、金属紛色、黒色、またはそれに近い色調となり、最終的な用途である製品、包装体などの媒体へ貼着または載置した場合に、外観が損なわれるという問題があった。また、製品、包装体などの媒体に印刷された表示上にＲＦタグ２０を貼り付けた場合、印刷された表示が妨げられるという問題があった。
【００１３】
また、第２のアンテナ２７は、リーダライタと電波で情報の交信をするアンテナとして機能するため、交信距離などに応じて一定以上の面積が必要であり、ＲＦタグ２０の大部分の面積を占めることとなる。そのため、例えば、化粧料等の内容物が装填された透明な容器にＲＦタグ２０を貼り付けた場合、外観が悪く不透明であり、かつ透明な容器に装填された内容物の色等の視認性が低下するという問題があった。このような問題は、特に、化粧料を装填する容器が小さい場合（例えば、マニュキアを装填する場合）に顕著となる。なお、第１及び第２のアンテナ２４，２７に金属箔を用いた場合にも、導電性インキを用いた場合と同様な問題が発生する。
【００１４】
さらに、ＲＦタグ２０とリーダライタとが電波により交信する際には、マイクロ波が用いられる。しかし、水分を含んだ化粧料が装填された容器に接着固定されたＲＦタグ２０とリーダライタとの間の交信にマイクロ波を適用した場合には、情報の交信が正常に行われないという問題点があった。
【００１５】
本発明は、上述した問題点に鑑みなされたものであり、アンテナとリーダライタとの間の情報の交信を正常に行うことができると共に、印刷等の表示を妨げることのなく、透明な容器に装填された内容物の外部からの視認性を向上させることのできるＲＦタグ、化粧料用容器、及びＲＦタグの製造方法を提供することを目的とする。
【課題を解決するための手段】
【００１６】
上記課題を解決するために本発明では、次に述べる各手段を講じたことを特徴とするものである。
【００１７】
請求項１記載の発明では、ＩＣチップと、前記ＩＣチップに接続された第１のアンテナと、前記第１のアンテナの外側へ離間した位置に、前記第１のアンテナとは独立して設けられた第２のアンテナとを備えたＲＦタグにおいて、前記第１のアンテナ又は第２のアンテナのうち少なくとも該第２のアンテナは、透明導電材料で形成されていることを特徴とするＲＦタグにより、解決できる。
【００１８】
上記発明によれば、第１のアンテナよりも面積の大きな第２のアンテナと第１のアンテナのうち少なくとも第２のアンテナを、透明導電材料で形成することにより、例えば、ＲＦタグを内容物が装填された透明な容器に貼り付けた際、外観を損なうことがなくなり、かつ透明な容器に装填された内容物の外部からの視認性を向上させることができる。また、印刷等の表示が容器にあった場合には、印刷等の表示が妨げられることを防止できる。
【００１９】
請求項２記載の発明では、前記透明導電材料には、透明な酸化物半導体を用いることを特徴とする請求項１に記載のＲＦタグにより、解決できる。
【００２０】
上記発明によれば、透明導電材料には、透明な酸化物半導体を用いることができる。
【００２１】
請求項３記載の発明では、前記透明な酸化物半導体には、錫をドーピングした酸化インジウム（ＩＴＯ）を用いることを特徴とする請求項２に記載のＲＦタグにより、解決できる。
【００２２】
上記発明によれば、透明な酸化物半導体には、錫をドーピングした酸化インジウム（ＩＴＯ）を用いることができる。
【００２３】
請求項４記載の発明では、前記透明導電材料には、透明な有機導電体を用いることを特徴とする請求項１に記載のＲＦタグにより、解決できる。
【００２４】
上記発明によれば、透明導電材料に透明な有機導電体を用いることにより、視認性を向上できると共に、第１のアンテナ又は第２のアンテナの耐久性を向上させることができる。
【００２５】
請求項５記載の発明では、前記透明な有機導電体には、７，７，８，８，―テトラシアノキノジメタン錯体を用いることを特徴とする請求項４に記載のＲＦタグにより、解決できる。
【００２６】
上記発明によれば、透明な有機導電体には、７，７，８，８，―テトラシアノキノジメタン錯体を用いることができる。
【００２７】
請求項６記載の発明では、前記透明導電材料は、透過性を有したメッシュ状の金属膜を用いることを特徴とする請求項１に記載のＲＦタグにより、解決できる。
【００２８】
上記発明によれば、透過性を有したメッシュ状の金属膜を設けた透明導電材料を用いることができる。
【００２９】
請求項７記載の発明では、化粧料を装填する容器本体を備えた化粧料用容器において、前記容器本体に、請求項１乃至６に記載のＲＦタグを設けたことを特徴とする化粧料用容器により、解決できる。
【００３０】
上記発明によれば、容器本体に印刷された表示を妨げることなく、視認性を向上させることができる。
【００３１】
請求項８記載の発明では、前記容器本体は、透明な容器で構成されていることを特徴とする請求項７に記載の化粧料用容器により、解決できる。
【００３２】
上記発明によれば、容器本体に装填された化粧料の外部からの視認性を向上させることができる。
【００３３】
請求項９記載の発明では、第１のアンテナ形成工程と、第２のアンテナ形成工程とを有した請求項１乃至６のいずれか１項に記載のＲＦタグの製造方法であって、前記第１のアンテナ形成工程又は第２のアンテナ形成工程において、前記第１のアンテナ又は第２のアンテナのうち少なくとも該第２のアンテナを構成する透明導電材料は、蒸着法、印刷法、めっき法、及び塗布のいずれかの方法により形成されることを特徴とするＲＦタグの製造方法により、解決できる。
【００３４】
上記発明によれば、第１のアンテナ形成工程又は第２のアンテナ形成工程において、第１のアンテナ又は第２のアンテナのうち少なくとも第２のアンテナを構成する透明導電材料は、蒸着法、印刷法、めっき法、及び塗布のいずれかの方法により形成することができる。
【発明の効果】
【００３５】
上述の如く本発明によれば、アンテナとリーダライタとの間の情報の交信を正常に行うことができると共に、印刷等の表示を妨げることのなく、透明な容器に装填された内容物の外部からの視認性を向上させることのできるＲＦタグ、及びその製造方法を提供することができる。
【発明を実施するための最良の形態】
【００３６】
次に、図面に基づいて本発明の実施例を説明する。
【００３７】
（第１実施例）
図４乃至図５を参照して、本発明の第１実施例であるＲＦタグ５０を化粧品４０に適用した場合を例に挙げて説明を行う。図４は、本発明の第１実施例であるＲＦタグを有した化粧品の斜視図であり、図５は、図４に示した化粧品をＢ視した斜視図である。
【００３８】
化粧品４０は、大略すると化粧料用容器４１と、情報ラベル４５と、ＲＦタグ５０と、化粧料である液状ファンデーション（図示せず）とを有した構成とされている。
化粧料用容器４１は、キャップ４２と、容器本体４３とにより構成されている。容器本体４３は、液状ファンデーションの色が外部から見えるような透明のガラス容器である。また、容器本体４３は、小型の瓶状容器である。容器本体４３内には、化粧料である液状ファンデーションが装填されている。液状ファンデーションには、水分や油分が含まれている。キャップ４２は、液状ファンデーションが装填された容器本体４３を封止するためのものである。
【００３９】
情報ラベル４５は、商品名、製造元、商品をイメージしたデザイン等がシート状の紙に印刷されたラベル、或いは、商品名、製造元、商品をイメージしたデザイン等が直接容器本体４３に印刷されたもののことである。情報ラベル４５は、容器本体４３の前面側に配設されている。容器本体４３の背面側には、ＲＦタグ５０が接着固定されている。
【００４０】
次に、図６乃至図７を参照して、本実施例のＲＦタグ５０について説明する。図６は、本実施例のＲＦタグの平面図であり、図７は、図６に示したＲＦタグのＣ―Ｃ線方向の断面図である。
【００４１】
ＲＦタグ５０は、大略するとプラスチックフィルム５１と、基材５２と、ＩＣチップ５３と、第１のアンテナ５４と、樹脂５５と、第２のアンテナ５７と、接着剤５８とを有した構成とされている。プラスチックフィルム５１は、透明な可撓性を有したフィルムであり、裏面５１Ｂには接着剤５８が配設されている。
【００４２】
基材５２は、透明樹脂基板であり、例えばＰＩ（ポリイミド）を用いることができる。基材５２は、プラスチックフィルム５１の表面５１Ａに配設されている。ＩＣチップ５３は、基材５２の表面の中央付近に配設されている。第１のアンテナ５４は、ＩＣチップ５３を囲むよう基材５２上に形成され、かつＩＣチップ５３と電気的に接続されている。
【００４３】
樹脂５５は、基材５２、ＩＣチップ５３、及び第１のアンテナ５４を覆うように形成されている。この樹脂５５は、ＩＣチップ５３又は第１のアンテナ５４の破損防止や、第１のアンテナ５４が酸化されることを防止するためのものである。第１のアンテナ５４は、透明な酸化物半導体である錫をドーピングした酸化インジウム（ＩＴＯ）により形成されている。
【００４４】
第２のアンテナ５７は、樹脂５５を囲むように第１のアンテナ５４の外側へ離間したプラスチックフィルム５１上の位置に形成されている。第２のアンテナ５７は、リーダライタ６２（図８参照）からの電波６３（図８参照）を受信し、第１のアンテナ５４と第２のアンテナ５７との間を電磁結合することで、リーダライタ６２とＲＦタグ５０との間の通信距離を伸ばすためのものであり、第２のアンテナ５７は、リーダライタ６２との交信距離等に応じて一定以上の面積が必要となるものである。そのため、図６に示すように、ＲＦタグ５０の大部分の面積を占有する。第２のアンテナ５７は、透明な酸化物半導体である錫をドーピングした酸化インジウム（ＩＴＯ）により形成されている。
【００４５】
上記説明したように、透明な酸化物半導体である錫をドーピングした酸化インジウム（ＩＴＯ）を用いて第１及び第２のアンテナ５４，５７を形成することで、第１及び第２のアンテナ５４，５７（主に、第２のアンテナ５７）により容器本体４３の外観が損なわれることがなくなり、かつ容器本体４３に装填された液状ファンデーションの外部からの色等の視認性を向上させることができる。
【００４６】
また、情報ラベル４５上にＲＦタグ５０を設けた場合には、第１及び第２のアンテナ５４，５７（主に、第２のアンテナ５７）により情報ラベル４５に印刷された文字やデザイン等の表示が妨げられることがなくなり、視認性を向上させることができる。
【００４７】
なお、第１のアンテナ５４の面積は、第２のアンテナの面積と比較して非常に小さく、外観や視認性を低下させる影響が小さいので、従来の不透明な導電性インキ、例えば、カーボン・黒鉛・アルミ粉・銀紛、あるいはそれらの混合体などをビヒクルに分散したインキを使用して、オフセット・グラビア・フレキソ・シルクスクリーン印刷等により第１のアンテナ５４を形成しても良い。
また、透明フィルム基材上に透過性を有するようメッシュ状に金属膜を設けたものを第１及び第２のアンテナ５４，５７として用いても良い。金属膜の線幅は、例えば２０μｍ〜３０μｍ、配線ピッチを、例えば２５０μｍ〜４００μｍとすることで、透過性を有したメッシュ状の金属膜を構成することができる。上記金属膜は、例えばめっき法により形成することができる。
【００４８】
次に、図８を参照して、本実施例のＲＦタグ５０とリードライタ６２との間の交信方法について説明する。図８は、ＲＦタグとリードライタとの間の交信について説明するための図であり、具体的には、商品陳列棚６０に陳列された複数（同図中では３つ）の化粧品４０のうち、中央に陳列された化粧品４０とリードライタ６２とが交信している様子を示した図である。なお、同図中に示した「前面側」は、化粧品４０を商品陳列棚６０に陳列する際に使用する側面であり、「背面側」は、商品陳列棚６０の背面側を示している。また、電波６３はリードライタ６２からＲＦタグ５０へ送信された電波を示しており、電波６４はＲＦタグ５０からリードライタ６２に送信された電波を示している。
【００４９】
同図に示すように、化粧品４０が保管、管理或いは販売される際には、化粧品４０の製品名の印刷された情報ラベル４５が商品陳列棚６０の前面側に位置するよう商品陳列棚６０に配列される。それにより、化粧品４０に接着固定されたＲＦタグ５０は、商品陳列棚６０の背面側に位置する。リードライタ６２は、電波６３，６４を介して化粧品４０のＲＦタグ５０と情報の交信を行う。この際、電波６３，６４は、容器本体４３に装填された化粧料である液状ファンデーションを通過する。これら電波６３，６４には、水分に吸収されにくく、かつ交信距離の比較的長い、周波数が４３３ＭＨｚ〜９５６ＭＨｚのＵＨＦ波を用いる。
【００５０】
このように、交信に使用する電波６３，６４にＵＨＦ波を用いることにより、電波６３，６４が水分を含んだ液状ファンデーションに吸収されることを防止して、ＲＦタグ５０とリーダライタ６２との間の情報の交信を精度良く行うことができる。
【００５１】
次に、第１及び第２のアンテナ５４，５７の製造方法について説明する。透明導電材料である錫をドーピングした酸化インジウム（ＩＴＯ）により、第１及び第２のアンテナ５４，５７を形成する際には、蒸着法を用いることができる。例えば、マスクを介して蒸着することにより、第１のアンテナ５４と第２のアンテナ５７とを同時に形成することが可能であり、工程数を削減することができる。
【００５２】
なお、容器本体４３に接着固定されるＲＦタグ５０の位置は、容器本体４３の底面側の位置や前面側の位置に設けても良く、本実施例での配設位置に限定されない。また、本実施例において、第１及び第２のアンテナ５４，５７のうち、少なくとも第２のアンテナ５７が錫をドーピングした酸化インジウム（ＩＴＯ）で形成されていれば良い。
【００５３】
（第２実施例）
図９を参照して、第２実施例のＲＦタグ７０について説明する。図９は、本発明の第２実施例のＲＦタグの平面図である。第２実施例は、第１実施例の変形例である。図９において、図６に示した第１実施例のＲＦタグ５０と同一構成部分には同一符号を付す。
【００５４】
ＲＦタグ７０は、大略するとプラスチックフィルム５１と、基材５２と、ＩＣチップ５３と、第１のアンテナ７１と、樹脂５５と、第２のアンテナ７２と、接着剤５８とを有した構成とされている。
【００５５】
第１及び第２のアンテナ７１，７２は、透明導電材料である透明な有機誘電体により構成されている。透明な有機導電体には、例えば７，７，８，８，―テトラシアノキノジメタン錯体を用いることができる。第１及び第２のアンテナ７１，７２は、例えば７，７，８，８，―テトラシアノキノジメタン錯体とバインダとを有機溶剤に溶解又は分散させた透明な導電性インキを作成し、印刷法によりこの透明な導電性インキを印刷することで形成することができる。また、上記透明な導電性インキを塗布して、第１及び第２のアンテナ７１，７２を形成しても良い。
【００５６】
バインダとしては、従来公知の熱可塑性樹脂、熱硬化性樹脂、反応型樹脂、電子線硬化型樹脂、紫外線硬化型樹脂、可視光線硬化型樹脂やこれらの混合物が使用される。熱可塑性樹脂としては、例えば塩化ビニル酢酸ビニル共重合体、塩化ビニル共重合体、塩化ビニル酢酸ビニルビニルアルコール共重合体等を用いることができる。
【００５７】
図１０は、第２実施例のＲＦタグを備えた化粧品の斜視図である。なお、図１０において、図４と同一構成部分には同一符号を付す。図１０に示すように、化粧品８０は、容器本体４３の背面側にＲＦタグ７０が接着固定された構成とされている。容器本体４３には、化粧料である液状ファンデーション（図示せず）が装填されている。
【００５８】
このように、透明な有機誘電体である７，７，８，８，―テトラシアノキノジメタン錯体を用いて第１及び第２のアンテナ７１，７２を形成することで、第１及び第２のアンテナ７１，７２（主に、第２のアンテナ７２）により容器本体４３の外観が損なわれることがなくなり、かつ容器本体４３に装填された液状ファンデーションの外部からの色等の視認性を向上させることができる。
【００５９】
なお、第１のアンテナ７１の面積は、第２のアンテナの面積と比較して非常に小さく、外観や視認性を低下させる影響が小さいので、従来の不透明な導電性インキ、例えば、カーボン・黒鉛・アルミ粉・銀紛、あるいはそれらの混合体などをビヒクルに分散したインキを使用して、オフセット・グラビア・フレキソ・シルクスクリーン印刷等により第１のアンテナ７１を形成しても良い。本実施例において、第１及び第２のアンテナ７１，７２のうち、少なくとも第２のアンテナ７２が透明な有機誘電体で形成されていれば良い。また、容器本体４３に設けるＲＦタグ７０の位置は、容器本体４３の底面側の位置や前面側の位置に設けても良く、本実施例での配設位置に限定されない。
【００６０】
以上本発明の好ましい実施例について詳述したが、本発明は係る特定の実施例に限定されるものではなく、特許請求の範囲に記載された本発明の要旨の範囲内において、種々の変形、変更が可能である。なお、ＲＦタグの容器本体４３への接着方法は、上記第１及び第２実施例に示した方法に限定されない。
【産業上の利用可能性】
【００６１】
本発明は、アンテナとリーダライタとの間の情報の交信を正常に行うことができると共に、印刷等の表示を妨げることのなく、透明な容器に装填された内容物の外部からの視認性を向上させることのできるＲＦタグ、化粧料用容器、及びＲＦタグの製造方法に適用することができる。
【図面の簡単な説明】
【００６２】
【図１】従来技術である円筒形状のＲＦタグを示した図である。
【図２】従来技術である第１及び第２のアンテナを有したＲＦタグを示した図である。
【図３】図２に示したＲＦタグのＡ―Ａ線方向の断面図である。
【図４】本発明の第１実施例であるＲＦタグを有した化粧品の斜視図である。
【図５】図４に示した化粧品をＢ視した斜視図である。
【図６】本実施例のＲＦタグの平面図である。
【図７】図６に示したＲＦタグのＣ―Ｃ線方向の断面図である。
【図８】ＲＦタグとリードライタとの間の交信について説明するための図である。
【図９】本発明の第２実施例のＲＦタグの平面図である。
【図１０】第２実施例のＲＦタグを備えた化粧品の斜視図である。
【符号の説明】
【００６３】
１０，２０，５０，７０  ＲＦタグ
１１  内部アンテナ
１２  フェライトコア
１３  銅線
１４，２３，５３  ＩＣチップ
１６  硬質ガラス製チューブ
２１，５１  プラスチックフィルム
２１Ａ，５１Ａ  表面
２１Ｂ，５１Ｂ  裏面
２２，５２  基材
２４，５４，７１  第１のアンテナ
２５，５５，７２  樹脂
２７，５７  第２のアンテナ
２８，５８  接着剤
４０，８０  化粧品
４１  化粧料用容器
４２  キャップ
４３  容器本体
４５  情報ラベル
６０  商品陳列棚
６２  リードライタ
６３，６４  電波
【図１】
2005227890.tif 000003
【図２】
2005227890.tif 000004
【図３】
2005227890.tif 000005
【図４】
2005227890.tif 000006
【図５】
2005227890.tif 000007
【図６】
2005227890.tif 000008
【図７】
2005227890.tif 000009
【図８】
2005227890.tif 000010
【図９】
2005227890.tif 000011
【図１０】
2005227890.tif 000012